(57)【特許請求の範囲】
【請求項１】
互いに平行で平坦な上下面と、該上下面に対して垂直な側面とから成り、且つ内側には上面に開口する基礎ボルト挿入孔を設けたブロックと、該ブロックの側面下部に調整ボルトが貫通螺合可能な取付孔が穿設された調整ボルト取付片と、前記ブロックの下面下方に調整ボルトの下部が位置するように前記取付孔に螺着された調整ボルトを設けてなるブロック本体と、
内側に調整ボルト挿入溝を凹設し、この調整ボルト挿入溝の底面略中央位置を下方向に切り欠いて前記調整ボルト挿入溝の底面に開口する調整ボルト尖端挿入溝を設け、前記調整ボルト挿入溝の溝壁形状が、前記調整ボルトの周面が前記調整ボルト挿入溝の溝壁面に当接することなく調整ボルトの尖端を前記調整ボルト挿入溝に挿入配置可能な形状に形成されて成る受具とから構成されたことを特徴とする基礎構造物。
【請求項２】
互いに平行で平坦な上下面と、該上下面に対して垂直な側面とから成り、且つ内側には上面に開口する基礎ボルト挿入孔を設けたブロックと、該ブロックの側面下部に調整ボルトが貫通螺合可能な取付孔が穿設された調整ボルト取付片と、前記ブロックの下面下方に調整ボルトの下部が位置するように前記取付孔に螺着された調整ボルトを設けてなるブロック本体と、
内側に調整ボルト挿入溝を凹設し、この調整ボルト挿入溝の底面略中央位置を下方向に切り欠いて前記調整ボルト挿入溝の底面に開口する調整ボルト尖端挿入溝を設け、前記調整ボルト挿入溝の溝壁形状が、前記調整ボルトの周面が前記調整ボルト挿入溝の溝壁面に当接することなく調整ボルトの尖端を前記調整ボルト挿入溝に挿入配置可能な形状に形成されて成る受具とから構成され、
前記受具が、内側に調整ボルト挿入溝と該調整ボルト挿入溝の底面に開口する調整ボルト尖端挿入溝とを備えてなる受具本体の底部外側方に取付片を張り出して設け、この取付片にコンクリートアンカを貫通可能な取付孔が穿設されてなることを特徴とする基礎構造物。
【請求項３】
互いに平行で平坦な上下面と、該上下面に対して垂直な側面とから成り、且つ内側には上面に開口する基礎ボルト挿入孔を設けたブロックと、該ブロックの側面下部に調整ボルトが貫通螺合可能な取付孔が穿設された調整ボルト取付片と、前記ブロックの下面下方に調整ボルトの下部が位置するように前記取付孔に螺着された調整ボルトを設けてなるブロック本体と、
内側に調整ボルト挿入溝を凹設し、この調整ボルト挿入溝の底面略中央位置を下方向に切り欠いて前記調整ボルト挿入溝の底面に開口する調整ボルト尖端挿入溝を設け、前記調整ボルト挿入溝の溝壁形状が、前記調整ボルトの周面が前記調整ボルト挿入溝の溝壁面に当接することなく調整ボルトの尖端を前記調整ボルト挿入溝に挿入配置可能な形状に形成されて成る受具とから構成され、
前記受具が、内側に調整ボルト挿入溝と該調整ボルト挿入溝の底面に開口する調整ボルト尖端挿入溝とを備えてなる複数の受具本体を、上記調整ボルト取付片に対応する位置に夫々離隔配置し、前記受具本体の底部外側縁を互いに連結杆で連結したことを特徴とする基礎構造物。
【請求項４】
コンクリート整地面上の所定位置に、調整ボルト尖端挿入溝が位置するように、
上記請求項１〜３のいずれか１項に記載の受具を配置し、
上記請求項１〜３のいずれか１項に記載のブロック本体の調整ボルトの尖端を前記調整ボルト尖端挿入溝内に挿入配置後、
前記調整ボルトを回転して調整ボルト取付片の高さを調整することによりブロック上面を水平にし、
次いで生コンクリートを前記コンクリート整地面と前記ブロック下面との間に充填し、前記生コンクリートを養生固化することにより前記コンクリート整地面に前記ブロックを一体的に固着すること
を特徴とする基礎構造物の施工方法。
【発明の詳細な説明】
【０００１】
【発明の属する技術分野】
本発明は、建築物の土台となる基礎構造物及びこの基礎構造物の施工方法に関し、更に詳しくは運搬可能な既成の基礎構造物とこの基礎構造物を現場にて施工する方法に関する。
【０００２】
【従来の技術】
従来、整地した地表面に砂利を敷設し、この砂利上に所定距離を有して離隔した対のパネルを、面が互いに対向するように連続的に並設してこれらのパネル間に溝を形成し、この溝内に生コンクリートを流し込み、生コンクリートの上面を水平に形成したる後に放置し養生し、生コンクリートが固化する直前にアンカーボルトの一部を生コンクリート内に埋設し、コンクリート固化後はパネルの取り外し作業を行って基礎を完成していた。そして、このようにして得られた基礎には、建築物の支柱や根太を必要に応じてアンカーボルトを介して取り付け、建築物の土台として建築物の重量を支持していた。
【０００３】
【発明が解決しようとする課題】
しかしながら、上記従来の基礎工法は、パネルで形成された溝内に生コンクリートを数回に分けて流し込み、その度養生を行う作業を繰り返していたため、工期が長期化していた。又、溝内に流し込まれた生コンクリート上面を水平に形成しなければならず、この水平にする作業は数少ない熟練工による作業を必要とするという問題点があった。又、パネルを組み立てて溝を形成する作業に時間を要すると共に基礎完成後に廃棄物が多量に出るという問題点があった。
【０００４】
そこで、本発明は上記従来技術の有する問題点を解決するために、所望形状に形成されたブロックの所定位置に調整ボルト取付片を設け、この調整ボルト取付片に調整ボルトを上下動可能に螺着させることによりブロック上面を水平にし、工期の短縮化及び基礎の強度、精度の一定化を図り得ると共に、熟練工を必要とせず、しかも工事現場の廃棄物が殆ど出ることのない基礎構造物及びこの基礎構造物の施工方法を提供することを目的とする。
【０００５】
【課題を解決するための手段】
上記目的を達成するために本発明のうち請求項１記載の発明は、互いに平行で平坦な上下面と、該上下面に対して垂直な側面とから成り、且つ内側には上面に開口する基礎ボルト挿入孔を設けたブロックと、該ブロックの側面下部に調整ボルトが貫通螺合可能な取付孔が穿設された調整ボルト取付片と、前記ブロックの下面下方に調整ボルトの下部が位置するように前記取付孔に螺着された調整ボルトを設けてなるブロック本体と、内側に調整ボルト挿入溝を凹設し、この調整ボルト挿入溝の底面略中央位置を下方向に切り欠いて前記調整ボルト挿入溝の底面に開口する調整ボルト尖端挿入溝を設け、前記調整ボルト挿入溝の溝壁形状が、前記調整ボルトの周面が前記調整ボルト挿入溝の溝壁面に当接することなく調整ボルトの尖端を前記調整ボルト挿入溝に挿入配置可能な形状に形成されてなる受具とから構成されてなることを特徴とする。
本発明のうち請求項２記載の発明は、上記受具が、内側に調整ボルト挿入溝と該調整ボルト挿入溝の底面に開口する調整ボルト尖端挿入溝とを備えてなる受具本体の底部外側方に取付片を張り出して設け、この取付片にコンクリートアンカを貫通可能な取付孔が穿設されてなることを特徴とする。
本発明のうち請求項３記載の発明は、上記受具が、内側に調整ボルト挿入溝と該調整ボルト挿入溝の底面に開口する調整ボルト尖端挿入溝とを備えてなる複数の受具本体を、調整ボルト取付片に対応する位置に夫々離隔配置し、前記受具本体の底部側縁を互いに連結杆で連結したことを特徴とする。
本発明のうち請求項４記載の発明は、コンクリート整地面上の所定位置に、調整ボルト尖端挿入溝が位置するように上記請求項１〜３のいずれか１項に記載の受具を配置し、上記請求項１〜３のいずれか１項に記載のブロック本体の調整ボルトの尖端を前記調整ボルト尖端挿入溝内に挿入配置後、前記調整ボルトを回転して高さを調整することによりブロック上面を水平にし、次いで生コンクリートを前記コンクリート整地面と前記ブロック下面との間に充填し、前記生コンクリートを養生固化することにより前記コンクリート整地面に前記ブロックを一体的に固着することを特徴とする。
【０００６】
【発明の実施の形態】
以下、図を参照にして本発明の実施の形態について説明する。
図１はブロック本体の正面図、図２は図１の平面図、図３は受具の平面図、図４は図３のＡ−Ａ線断面図、図５は受具の説明図である。
まず、図１及び図２を参照にしてブロック本体１について説明すると、ブロック本体１はブロック２と調整ボルト取付片３及び調整ボルト４とより構成されている。ブロック２は、コンクリートを材料とし、互いに平行で平坦な上下面５、６と、上下面５、６に対して垂直な側面７とより構成されている。ブロック２の上部内側には、上面５に開口する基礎ボルト挿入孔８を設けている。ブロック２の側面７の下部には、調整ボルト取付片３の下面とブロック２の下面が同一直線上に位置するように調整ボルト取付片３が固定的に取付られている。調整ボルト取付片３には、調整ボルト４を螺合可能に孔壁に螺施状溝が刻設された取付孔９が穿設されている。調整ボルト４の周面には螺施状溝が設けられており、調整ボルト４はその下部がブロック２の下面６より下方に位置するように調整ボルト取付片３の取付孔９に貫通螺合されている。
【０００７】
図３〜図５を参照にして受具について説明する。受具１０は、受具本体１１の底部外側縁の対向する位置に外側方に平視２等辺３角形状の取付片１２を張り出して形成されている。受具本体１１の内側には、上面に開口した略半円球状の調整ボルト挿入溝１３を凹設し、調整ボルト挿入溝１３の底面略中央を下方向に切り欠いて調整ボルト挿入溝１３に開口連通する調整ボルト尖端挿入溝１４を設けている。取付片１２には、コンクリートアンカ１５を貫通可能な取付孔１６が穿設されている。調整ボルト挿入溝１３が略半円球状の窪みに形成されているのは、図５に示すように調整ボルト４の尖端を調整ボルト尖端挿入溝１４内に配置すると、ブロック本体１は調整ボルト４により支持され、仮に調整ボルト４が傾斜状態で調整ボルト挿入溝１３内に配置されている場合であっても、調整ボルト４の周面は調整ボルト挿入溝１３の溝壁面と当接せず、調整ボルト４と受具１０とは点接触をし、調整ボルト４と受け具１０との摩擦は小さく、僅かな力で調整ボルト４を回転することが可能であるという理由による。従って、調整ボルト挿入溝１３と調整ボルト尖端挿入溝１４の形状は、図３に示す略円球状溝に限定せず、逆三角錐状溝以外の調整ボルトの周面が溝壁に当接しない形状であれば如何なる形状も本発明に包含される。
【０００８】
図６を参照にして基礎構造物の施工方法について説明する。コンクリート整地面１７上のブロック配設予定位置に於ける調整ボルト４の尖端対応位置に調整ボルト尖端挿入溝１４が位置するように受具１０を配設し、調整ボルト尖端挿入溝１４に調整ボルト４の尖端を挿入配置する。調整ボルト４を回転動させて、ブロック２の上面５を水平にする。生コンクリート１８をコンクリート整地面１７とブロック２の下面との間に充填し、且つ調整ボルト４を生コンクリート１８内に埋め込んだ後、養生固化する。固化後は、既知の方法により柱１９等を基礎ボルト２０でブロック２に固定する。
【０００９】
図７は受具における他の実施の形態を示す図である。説明を簡単にするために図３及び図４と同様の作用をなす部分は同一符号で説明する。受具本体１１には内側に調整ボルト挿入溝１３と調整ボルト挿入溝１３の底面に開口する調整ボルト尖端挿入溝１４を設けている。受具本体１１の対向する底部外側縁には連結杆２１が一体的に取り付けられて、複数の受具本体１１を連結している。
【００１０】
以上の実施の形態においては、両端を平視十字状に形成し、隅角部に調整ボルト取付片３を設けているブロックを例に説明したが、本発明はこれに限定するものではなく、図８や図９に示すように基礎に必要な形状のブロックすべてを包含し、調整ボルト取付片３の取り付け位置もバランスに応じて所望位置に設けたのでよい。
【００１１】
【発明の効果】
本発明は、基礎を部分的に運搬可能な既成品にし、現場で組み立てて施工して使用するので、工期が短縮化し、強度及び精度が均一化した信頼性のある基礎を提供し得るという効果がある。
又、調整ボルトを回転させることにより、ブロック上面を極めて容易に水平に設置可能なため、熟練工が不要で、人件費が節減できるという効果がある。
又、調整ボルトが調整ボルト尖端挿入溝に点接触するので、摩擦が小さく、小さな力で調整ボルトを回転動でき、結果的に僅かな力でブロック（基礎）の上面を水平にすることができるという効果がある。
既成のブロックを現場に運搬し、高さ調整及び生コンクリートによるコンクリート整地面への固着作業を行うことで基礎を完成できるため、工事現場の廃棄物が少量で済むという効果がある。
【図面の簡単な説明】
【図１】ブロック本体の正面図である。
【図２】図１の平面図である。
【図３】受具の平面図である。
【図４】図３のＡ−Ａ線断面図である。
【図５】調整ボルト挿入溝の溝壁形状の説明図である。
【図６】基礎構造物の施工方法の説明図である。
【図７】受具を示す平面図である。
【図８】ブロック本体を示す平面図である。
【図９】ブロック本体を示す平面図である。
【符号の説明】
１  ブロック本体
２  ブロック
３  調整ボルト取付片
４  調整ボルト
５  ブロックの上面
６  ブロックの下面
７  ブロックの側面
８  基礎ボルト挿入孔
９、１６  取付孔
１０  受具
１１  受具本体
１２  取付片
１３  調整ボルト挿入溝
１４  調整ボルト尖端挿入溝
１７  コンクリート整地面
１８  生コンクリート
２１  連結杆
【図１】
0003716366.tif 000002
【図２】
0003716366.tif 000003
【図３】
0003716366.tif 000004
【図４】
0003716366.tif 000005
【図５】
0003716366.tif 000006
【図６】
0003716366.tif 000007
【図７】
0003716366.tif 000008
【図８】
0003716366.tif 000009
【図９】
0003716366.tif 000010